(57)【要約】【課題】  放電ランプの放電特性に応じて点灯性を十分に向上させること。【解決手段】  この放電ランプ用電源回路１は、放電ランプＬに駆動電流を供給するスイッチング電源３と、スイッチング電源３と放電ランプＬとの間において、スイッチング電源３と並列に接続された電解コンデンサ６と、放電ランプＬを流れる電流を検出する検出用抵抗７と、電解コンデンサ６と直列に接続された直列抵抗８と、直列抵抗８の両端の間に接続されたリレー回路９と、検出用抵抗７によって検出された電流に対応する電位差ＥＬと所定の閾値ＥＬＴＨとを比較することによって、リレー回路９を開閉する開閉制御回路１０とを備える。【選択図】  図１
2006302540.tif 000002
【特許請求の範囲】
【請求項１】
放電ランプを駆動するための放電ランプ用電源回路であって、
前記放電ランプに駆動電流を供給するスイッチング電源と、
前記スイッチング電源と前記放電ランプとの間において、前記スイッチング電源と並列に接続されたコンデンサと、
前記放電ランプを流れる電流を検出する電流検出部と、
前記コンデンサと直列に接続された直列抵抗と、
前記直列抵抗の両端の間に接続されたスイッチと、
前記電流検出部によって検出された電流と所定の閾値とを比較することによって、前記スイッチを開閉する制御回路と、
を備えることを特徴とする放電ランプ用電源回路。
【請求項２】
前記放電ランプは、非点灯時に内部が大気圧以上に保持された高圧放電ランプであることを特徴とする請求項１記載の放電ランプ用電源回路。
【請求項３】
前記電流検出部は、前記スイッチング電源と前記放電ランプとの間において、前記放電ランプと直列に接続された検出用抵抗を含み、
前記制御回路は、前記検出用抵抗における電位差に基づいて、前記電流値と前記所定の閾値とを比較する、
ことを特徴とする請求項１又は２記載の放電ランプ用電源回路。
【請求項４】
前記検出用抵抗の抵抗値は、前記直列抵抗の抵抗値より小さいことを特徴とする請求項３記載の放電ランプ用電源回路。
【請求項５】
請求項１〜４のいずれか１項に記載の放電ランプ用電源回路と、
前記放電ランプ用電源回路に接続された放電ランプと、
前記放電ランプ用電源回路及び放電ランプを収容する筐体と、
前記筐体に設けられ、前記放電ランプから放出された光を外部に出射する出射口と、
を備えることを特徴とする光源装置。
【発明の詳細な説明】
【技術分野】
【０００１】
本発明は、放電ランプを点灯させるための放電ランプ用電源回路及びそれを用いた光源装置に関するものである。
【背景技術】
【０００２】
放電ランプ用の電源回路においては、ノイズの防止や放電ランプの長寿命化を実現する為に放電ランプの点灯性をより良くすることが求められる。一般に、このような電源回路には、点灯開始後に放電ランプに安定して電流を供給するとともに、放電ランプを流れる電流に含まれるリップル電流成分を低減するために、コンデンサが用いられる。下記特許文献１記載の電源回路では、放電ランプに対してコンデンサが並列に接続され、このコンデンサには抵抗素子が直列に接続されている。さらに、抵抗素子には、タイマ回路により所定の時間経過後に抵抗素子の両端を短絡させるスイッチが接続されている。このような構成によって、放電ランプが非点灯状態からアーク放電に移行するまでの段階における電流を確保するとともに、放電開始後における放電ランプを流れる電流に含まれるリップル電流成分を低減する。
【特許文献１】特許第３１８８８７３号公報
【特許文献２】特開平５−２３４６８５号広報
【発明の開示】
【発明が解決しようとする課題】
【０００３】
しかしながら、上述した従来の電源回路においては、放電ランプの特性に対応した放電ランプの点灯性の維持が困難であった。すなわち、放電ランプの種類や特性のばらつきによっては放電ランプの点灯始動が困難な場合があるため、タイマによる供給電流の制御では、一回の放電で点灯が開始されなかった場合に、再度放電ランプを点灯始動させる必要があり、周辺機器へのノイズの影響が大きくなる。
【０００４】
そこで、本発明は、かかる課題に鑑みて為されたものであり、放電ランプの放電特性に応じて点灯性を十分に向上させることが可能な放電ランプ用電源回路及びそれを用いた光源装置を提供することを目的とする。
【課題を解決するための手段】
【０００５】
上記課題を解決するため、本発明の放電ランプ用電源回路は、放電ランプを駆動するための放電ランプ用電源回路であって、放電ランプに駆動電流を供給するスイッチング電源と、スイッチング電源と放電ランプとの間において、スイッチング電源と並列に接続されたコンデンサと、放電ランプを流れる電流を検出する電流検出部と、コンデンサと直列に接続された直列抵抗と、直列抵抗の両端の間に接続されたスイッチと、電流検出部によって検出された電流と所定の閾値とを比較することによって、スイッチを開閉する制御回路と、を備える。
【０００６】
このような放電ランプ用電源回路によれば、スイッチング電源により、放電ランプに対して並列に接続されたコンデンサが充電され、放電ランプを点灯開始する際に、コンデンサから放電ランプの始動に必要な電流が供給される。その際、コンデンサに直列に接続された直列抵抗により放電ランプへ供給する電流の持続時間が確保されると共に、放電安定化後に放電ランプを流れる電流と所定の閾値との比較結果に基づいて直列抵抗を短絡させるので、放電ランプの始動後において供給電流におけるリップル電流成分を低減することができる。
【０００７】
また、放電ランプは、非点灯時に内部が大気圧以上に保持された高圧放電ランプであることが好ましい。かかる構成を採れば、長寿命であり発光効率が高い高圧放電ランプを用いる場合であっても、点灯の始動に必要な供給電流の持続時間を十分に適応させることができる。
【０００８】
また、電流検出部は、スイッチング電源と放電ランプとの間において、放電ランプと直列に接続された検出用抵抗を含み、制御回路は、検出用抵抗における電位差に基づいて、電流値と所定の閾値とを比較することも好ましい。この場合、放電ランプの電流を検出用抵抗で電位差として検出して、その電位差を所定の閾値と比較するので、簡易な回路構成で放電ランプの始動制御を実現することができる。
【０００９】
また、検出用抵抗の抵抗値は、直列抵抗の抵抗値より小さいことが好ましい。検出用抵抗にはランプ駆動電流が全て流れる為、抵抗による電力損失を極力抑える必要がある。したがって、検出用抵抗の抵抗値は極力小さくし、上述のコンデンサに直列に接続された直列抵抗の抵抗値を大きく設定しておくことにより、ランプ点灯瞬間にコンデンサから放出される電流を抑制することができる。また、ランプ点灯後、放電ランプの電流が閾値に到達したことを検出し、上述のコンデンサに直列に接続された直列抵抗の両端をスイッチにて短絡することにより、放電ランプを流れる電流に含まれるリップル電流成分を低減することができる。
【００１０】
或いは、本発明の光源装置は、上記の放電ランプ用電源回路と、放電ランプ用電源回路に接続された放電ランプと、放電ランプ用電源回路及び放電ランプを収容する筐体と、筐体に設けられ、放電ランプから放出された光を外部に出射する出射口とを備える。このような光源装置によれば、安定した始動、及び光出力を実現することができる。
【発明の効果】
【００１１】
本発明によれば、放電ランプの放電特性に応じて点灯性を十分に向上させることが可能な放電ランプ用電源回路を提供することができる。
【発明を実施するための最良の形態】
【００１２】
以下、図面を参照しつつ本発明に係る放電ランプ用電源回路の好適な実施形態について詳細に説明する。なお、図面の説明においては同一又は相当部分には同一符号を付し、重複する説明を省略する。
【００１３】
図１は、本発明の好適な一実施形態に係る放電ランプ用電源回路１の概略構成図である。図１に示す放電ランプ用電源回路１は、光源装置に実装され、水銀キセノンランプ、キセノンランプ等の放電ランプを駆動するための電源回路である。
【００１４】
同図に示すように、放電ランプ用電源回路１において、ＡＣ電源又はＤＣ電源である外部電源２からスイッチング電源３に電流が供給されている。スイッチング電源３では、外部電源２から供給される電流が交流電流である場合はその交流電流を直流電流に変換し、直流電流をさらに高周波パルス電流に変換した後、この高周波パルス電流をトランスを用いて取り出す。この高周波パルス信号は、後段の回路によって整流、及び平滑化された後、放電ランプＬを点灯するための駆動電流として供給される。この場合、スイッチング電源３は、定電流制御回路１１からの制御信号ＣＰに基づいて、出力する高周波パルス電流のパルス幅（スイッチングパルス幅）を変更する。
【００１５】
また、スイッチング電源３には、スイッチング電源３から出力された高周波パルス電流を整流する２つのダイオードからなる整流回路４が接続されている。この整流回路４により、高周波パルス電流が再度直流電流に整流され、放電ランプＬ側に供給される。
【００１６】
整流回路４の出力側には、放電ランプＬを点灯させるイグナイタ（点灯装置）５が接続されている。このイグナイタ５の出力端子Ｔｏに、キセノンランプ、水銀キセノンランプ等の放電ランプＬが接続され、イグナイタ５によって放電ランプＬの内部におけるアーク放電が始動及び維持される。
【００１７】
さらに、イグナイタ５における放電ランプＬの陰極側の入力端子Ｔｉとスイッチング電源３との間には、イグナイタ５と直列に放電ランプＬを流れる放電電流を検出する検出用抵抗（電流検出部）７が接続され、検出用抵抗７の両端には定電流制御回路１１が接続されている。定電流制御回路１１は、検出用抵抗７の両端の電位差が入力され、放電ランプＬの点灯開始後に放電ランプＬに連続的に電流が供給されるようになった時点で、放電ランプＬを流れる放電電流が一定値となるようにスイッチングパルス幅を制御する。
【００１８】
また、整流回路４とイグナイタ５との間には、スイッチング電源３に対して並列に電解コンデンサ６が接続されている。整流回路４から出力された電流には、スイッチング電源３の高周波パルス電流の周波数（スイッチング周波数）に対応するリップル電流成分が含まれているため、電解コンデンサ６は、整流回路４から出力された電流におけるリップル電流成分を低減して、イグナイタ５に出力する。さらに、電解コンデンサ６は、放電ランプＬの点灯開始直後にイグナイタ５を介して放電ランプＬに電流を供給して、放電ランプＬを始動させる機能も有する。電解コンデンサ６としては、リップル電流成分の低減、及び放電ランプＬにおける点灯開始時のランプ点灯特性向上、及び放電ランプＬに流れる突入電流によるランプ電極劣化の防止を両立するために、電気容量が２２０μＦ〜２２００μＦの電解コンデンサが好適に用いられる。
【００１９】
この電解コンデンサ６の陰極には、電解コンデンサ６に直列に直列抵抗８が接続されている。この直列抵抗８としては、検出用抵抗７に比較して十分大きい抵抗値のものが用いられる。例えば、検出用抵抗７の抵抗値１０ｍΩ〜１００ｍΩに対して、直列抵抗８の抵抗値が２．２Ω〜１０Ωのものを用いるのが好ましい。これにより、電解コンデンサ６の放電電流の特性は、検出用抵抗７よりも直列抵抗８によって影響を受けることとなる。さらに、直列抵抗８の両端には、メカニカルリレー、半導体スイッチ等のリレー回路（スイッチ）９が接続され、リレー回路９によって、直列抵抗８の両端間が短絡及び開放される。
【００２０】
検出用抵抗７の両端には、さらに、リレー回路９の開閉を制御するための開閉制御回路１０が接続されている。開閉制御回路１０は、オペアンプ、コンデンサ等により構成され、検出用抵抗７で検出された放電ランプＬを流れる放電電流ＩＬに対応する電位差ＥＬが入力されて、その電位差の低周波成分ＥＬと所定の閾値ＥＬＴＨとを比較する。電位差の低周波成分ＥＬと閾値ＥＬＴＨを比較するために、開閉制御回路１０は、電位差の低周波成分ＥＬのみに応答するように構成されている。そこで、開閉制御回路１０は、放電電流ＩＬに対応する電位差ＥＬが閾値ＥＬＴＨより小さい場合は、リレー回路９をオフさせ、電位差ＥＬが閾値ＥＬＴＨ以上の場合は、リレー回路９をオンさせる。この閾値ＥＬＴＨとしては、放電ランプＬがアーク放電状態にあり、放電が安定した時の放電電流に対応する値よりも小さい値に設定される。この場合、開閉制御回路１０は、リレー回路９をオフさせるときには、リレー回路９に対してハイレベルの開閉制御信号ＣＲを出力し、リレー回路９をオンさせるときには、リレー回路９に対してローレベルの開閉制御信号ＣＲを出力する。
【００２１】
なお、放電ランプ用電源回路１には、放電ランプＬとして、水銀キセノンランプ、キセノンランプ等の非点灯時において内部が大気圧以上に保持された高圧放電ランプが接続されている。このような放電ランプＬにおいては、始動時にグロー放電を経由しないで直接アーク放電に移行する。図２は、放電ランプＬの点灯開始時の電流電圧特性の一例を示すグラフである。同図に示すように、メタルハライドランプ等の非点灯時に低圧状態である放電ランプでは、比較的高い電圧の供給を必要とするグロー放電を経由して、低い電圧で安定放電するアーク放電に移行するが、非点灯時に高圧状態である水銀キセノンランプ、キセノンランプ等の放電ランプでは、グロー放電を経由せずに、直接アーク放電に移行する。従って、非点灯時に低圧であるメタルハライドランプ等の放電ランプに比較して、放電ランプＬにおいては、より安定して長時間に渡り電流を供給しないと連続放電させることが困難となる。そこで、放電ランプ用電源回路１では、放電ランプの始動を安定化させるとともに、スイッチング電源３から発生するリップル電流成分の影響を最小限にするために、放電電流ＩＬが安定化した時点で、直列抵抗８を短絡させるようにしている。言い換えれば、放電電流ＩＬが安定化するまでは、電解コンデンサ６から流れる放電電流の放電時間を確保している。
【００２２】
以下、図３を参照して、放電ランプ用電源回路１の動作について説明する。図３において、（ａ）は、放電ランプ用電源回路１のランプ点灯前におけるイグナイタ５に入力される入力電圧Ｖｉｎ、及び放電ランプＬの放電電流ＩＬの時間変化を示すグラフ、（ｂ）は、ランプ始動時の入力電圧Ｖｉｎ、及び放電電流ＩＬの時間変化を示すグラフ、（ｃ）は、放電安定化時の入力電圧Ｖｉｎ、及び放電電流ＩＬの時間変化を示すグラフである。
【００２３】
まず、放電ランプＬの点灯開始前においては、スイッチング電源３からイグナイタ５の入力端子Ｔｉに無負荷時の直流電圧Ｖ１が印加される。このとき、放電ランプＬには放電電流ＩＬは流れず、電解コンデンサ６は両端電圧がＶ１になるまで充電される（図３（ａ））。また、リレー回路９は、放電電流ＩＬが検出されないためオフ状態にある。
【００２４】
次に、イグナイタ５によって放電ランプＬが始動されると、放電ランプＬの内部における高圧放電の発生を契機に、電解コンデンサ６から放電ランプＬに向けて放電電流が供給される（図３（ｂ））。このとき、放電電流は急峻に変化し、開閉制御回路１０が応答しないためにリレー回路９はオフ状態にあり、電解コンデンサ６に直列接続された直列抵抗８により、放電電流ＩＬのピーク電流Ｉｐｅａｋは、Ｉｐｅａｋ≦Ｖ１／Ｒ２（Ｒ２は、直列抵抗８の抵抗値）に制限される。また、直列抵抗８の存在により、電解コンデンサ６からの放電電流ＩＬの放電時間が長くされる。
【００２５】
その後、放電ランプＬが点灯した後、スイッチング電源３から放電ランプＬに電流が供給され、時刻ｔ２で放電ランプＬにおけるアーク放電が安定的に継続する。このとき、開閉制御回路１０が応答するため、時刻ｔ２以降で放電電流ＩＬに対応する電位差ＥＬが閾値ＥＬＴＨ以上となると、リレー回路９が閉じられて直列抵抗８が短絡される（図３（ｃ））。
【００２６】
以下、放電ランプ用電源回路１における放電開始時の放電電流ＩＬの時間変化について、比較例と対比しつつより詳細に説明する。
【００２７】
図９は、本発明の比較例である放電ランプ用電源回路９０１の概略構成図である。放電ランプ用電源回路９０１において、イグナイタ５に並列に電解コンデンサ９０６のみが接続され、電解コンデンサ９０６には直列抵抗が接続されておらず、その直列抵抗の両端を短絡及び開放するためのリレー回路９及び開閉制御回路１０も有していない。ここで、図４には、放電ランプ用電源回路９０１及び放電ランプ用電源回路１における放電電流ＩＬの時間変化を示す。
【００２８】
上述した比較例である放電ランプ用電源回路９０１では、放電ランプＬの始動時（時刻２ｍｓｅｃ）に、電解コンデンサ９０６から１ｍｓｅｃ以内で瞬時に最大約３００Ａ程度の放電電流ＩＬが供給され、その後、スイッチング電源３の応答時間経過後に継続的に放電電流ＩＬが供給される。この場合、スイッチング電源３からの電流の供給が間に合えば、放電ランプＬにおけるアーク放電が継続的に開始される（図４（ａ）参照）が、電解コンデンサ９０６から供給される電流は瞬時で途絶えるため、スイッチング電源３からの電流の供給が間に合わず、安定したアーク放電に移行されない傾向にある（図４（ｂ）参照）。その結果、何度も放電ランプＬが始動され、周辺機器へのノイズの影響が増大する。これは、放電ランプＬがアーク放電する前には、スイッチング電源３は無負荷状態にあるため、スイッチング電源３におけるスイッチングパルス幅は非常に小さい状態になっており、放電ランプＬがアーク放電した瞬間に全負荷に相当する幅までスイッチングパルス幅を大きくするのに定電流制御回路１１等に起因する時間的な遅れが発生するからである。
【００２９】
これに対して、放電ランプ用電源回路１においては、電解コンデンサ６に接続された直列抵抗８の存在により、放電電流ＩＬにおける突入電流が抑制されるとともに、電解コンデンサ６から放電ランプＬに流れる電流の持続時間が長くされることにより、電解コンデンサ６からスイッチング電源３への電流供給源の切り替えが円滑化される（図４（ｃ）参照）。さらには、放電ランプＬが安定放電して放電電流ＩＬが安定化した段階で、直列抵抗８を短絡させる結果、スイッチング電源３から出力されるリップル電流成分が抑えられることとなる。
【００３０】
図８は、上述した放電ランプ用電源装置１を内蔵する光源装置１０１の側面図である。同図に示すように、光源装置１０１は、ハウジング（筐体）１０２の内部に上述した放電ランプ用電源回路１、及び紫外光を放射する水銀キセノンランプ等の放電ランプＬを収容している。より詳細には、放電ランプＬは、ハウジング１０２の前面１０２ａの方向に開口部１３１を向けた楕円集光ミラーである反射ミラー１０３の内側に位置するように設置されている。また、光源ランプＬと前面１０２ａとの間の所定位置には、開口部１４１を有する絞り板１０４及びシャッター機構１０５が固定されている。さらには、ハウジング１０２の前面１０２ａの放電ランプＬ及び反射ミラー１０３と対向する位置には、ハウジング１０２の内面から貫通する円筒中空状の出射口１１２が設けられている。また、出射口１１２の内周面と、円筒中空状のファイバ差込用部材１１３の外周面とが嵌合してファイバ差込口が構成され、このファイバ差込口に光ファイバ１０７が差し込まれている。一方、ハウジング１０２の底面側には、放電ランプＬ等を駆動及び制御する駆動装置１０６が収納され、駆動装置１０６には放電ランプ用電源装置１が内蔵されている。この放電ランプ用電源装置１と放電ランプＬとは図示しない導線により電気的に接続されている。このような構成により、放電ランプ用電源装置１による駆動により放電ランプＬから放出される紫外光が、反射ミラー１０３により出射口１１２に向けて集光され、光ファイバ１０７により外部に導光、出射される。
【００３１】
以上説明した放電ランプ用電源回路１によれば、スイッチング電源３により、放電ランプＬに対して並列に接続された電解コンデンサ６が充電され、放電ランプＬを点灯開始する際に、電解コンデンサ６から放電ランプＬの始動に必要な電流が供給される。その際、電解コンデンサ６に直列に接続された直列抵抗８により放電ランプＬにおける突入電流が抑制される結果、放電ランプＬの電極の劣化を防止して放電ランプＬの長寿命化を図るとともに、周辺機器へのノイズの影響を低減することができる。また、放電ランプＬへ供給する電流の持続時間が確保されるので、スイッチング電源３の応答時間の遅れを補完して放電ランプＬの連続放電が容易となる。さらには、放電安定化後に放電ランプＬを流れる放電電流ＩＬに対応する電位差ＥＬと所定の閾値ＥＬＴＨとの比較結果に基づいて直列抵抗８を短絡させるので、放電ランプＬの始動後において供給電流におけるリップル電流成分を低減することができる。
【００３２】
また、開閉制御回路１０を、放電ランプＬを流れる放電電流ＩＬに対応する電位差ＥＬと所定の閾値ＥＬＴＨとの比較結果に基づいて直列抵抗８を短絡させる構成とすることにより、従来のタイマで短絡させる構成と比較して、高圧放電ランプ等の点灯始動が比較的困難な放電ランプを用いる場合であっても、点灯の始動に必要な供給電流の持続時間を十分に適応させることができる。さらに、開閉制御回路１０で放電電流ＩＬを検出しているので、放電ランプが点灯しなかった場合に再点灯動作の高速処理も容易に実現できる。
【００３３】
また、検出用抵抗７と開閉制御回路１０とで直列抵抗８の短絡及び開放を制御しているので、簡易な回路構成で放電ランプの始動制御を実現することができる。
【００３４】
また、検出用抵抗７の抵抗値は直列抵抗８の抵抗値より十分小さいので、点灯始動後の抵抗による電力損失も問題ない程度に抑制できる。また、検出用抵抗７の抵抗値は極力小さくし、コンデンサ６に直列に接続された直列抵抗８の抵抗値を大きく設定しておくことにより、ランプ点灯瞬間にコンデンサ６から放出される電流を抑制することができる。また、ランプ点灯後、放電ランプＬの電流が閾値に到達したことを検出し、コンデンサ６に直列に接続された直列抵抗８の両端をリレー回路９にて短絡することにより、放電ランプＬを流れる電流に含まれるリップル電流成分を低減することができる。
【００３５】
なお、本発明は、前述した実施形態に限定されるものではない。例えば、放電ランプ用電源回路１の回路構成としては、図５〜図７に示すような他の構成を採用してもよい。図５に示す放電ランプ用電源回路２１では、直列抵抗２８が、イグナイタ５における放電ランプＬの陰極側の入力端子Ｔｉと検出用抵抗７との間において、電解コンデンサ６に対して直列に接続され、その直列抵抗２８の両端にリレー回路２９が接続されている。また、図６に示す放電ランプ用電源回路４１では、直列抵抗４８が、イグナイタ５における放電ランプＬの陽極側の入力端子Ｔｉと電解コンデンサ６の陽極との間において、電解コンデンサ６に対して直列に接続され、その直列抵抗４８の両端にリレー回路４９が接続されている。また、図７に示す放電ランプ用電源回路６１では、直列抵抗６８が、電解コンデンサ６の陽極に直列に接続され、その直列抵抗６８の両端にリレー回路６９が接続されている。
【図面の簡単な説明】
【００３６】
【図１】本発明の好適な一実施形態に係る放電ランプ用電源回路の概略構成図である。
【図２】図１の放電ランプの点灯開始時の電流電圧特性の一例を示すグラフである。
【図３】（ａ）は、図１の放電ランプ用電源回路のランプ点灯前におけるイグナイタに入力される入力電圧及び放電ランプの放電電流の時間変化を示すグラフ、（ｂ）は、図１の放電ランプ用電源回路のランプ始動時の入力電圧及び放電電流の時間変化を示すグラフ、（ｃ）は、図１の放電ランプ用電源回路の放電安定化時の入力電圧及び放電電流の時間変化を示すグラフである。
【図４】図１の放電ランプ用電源回路、及び比較例に係る放電ランプ用電源回路における放電電流の時間変化を示すグラフである。
【図５】本発明の変形例である放電ランプ用電源回路の概略構成図である。
【図６】本発明の他の変形例である放電ランプ用電源回路の概略構成図である。
【図７】本発明の他の変形例である放電ランプ用電源回路の概略構成図である。
【図８】本発明の好適な一実施形態に係る光源装置の側面図である。
【図９】本発明の比較例である放電ランプ用電源回路の概略構成図である。
【符号の説明】
【００３７】
１，２１，４１，６１…放電ランプ用電源回路、３…スイッチング電源、６…電解コンデンサ、７…検出用抵抗、８，２８，４８，６８…直列抵抗、９，２９，４９，６９…リレー回路（スイッチ）、１０…開閉制御回路（制御回路）、Ｌ…放電ランプ、１０１…光源装置、１０２…筐体、１１２…出射口。
【図１】
2006302540.tif 000003
【図２】
2006302540.tif 000004
【図３】
2006302540.tif 000005
【図４】
2006302540.tif 000006
【図５】
2006302540.tif 000007
【図６】
2006302540.tif 000008
【図７】
2006302540.tif 000009
【図８】
2006302540.tif 000010
【図９】
2006302540.tif 000011